(57)【要約】【課題】  運転に関わる省エネルギー情報を室内機からユーザーに的確に知らせることができ、これにより省エネルギーをユーザーに強く意識させることができて、省エネルギーの推進に大きく貢献できる空気調和機を提供する。【解決手段】  当該空気調和機の消費電力Ｗおよびその消費電力Ｗに関わる積算消費電力量、電気料金、積算二酸化炭素排出量を演算して表示ユニット２０で表示する。この表示を可動パネル６の透過表示部６ａを介してユーザーに見せる。【選択図】    図１
2010048493.tif 000002
【特許請求の範囲】
【請求項１】
室内機および室外機からなる空気調和機において、
前記室内機の前面に設けられた表示手段と、
当該空気調和機の消費電力およびその消費電力に関わる情報を前記表示手段で表示する制御手段と、
を備えることを特徴とする空気調和機。
【請求項２】
前記表示手段は、前記室内機の前面の内側に設けられた表示ユニット、および前記室内機の前面に設けられ前記表示ユニットの表示を透過する透過表示部、を含むことを特徴とする請求項１記載の空気調和機。
【請求項３】
前記消費電力は、少なくとも、前記室内機における室内ファンの消費電力、前記室外機における圧縮機の消費電力、および前記室外機における室外ファンの消費電力、の合算であることを特徴とする請求項１記載の空気調和機。
【請求項４】
前記消費電力に関わる情報は、前記消費電力に基づいて算出される積算消費電力量、この積算消費電力量に基づいて算出される電気料金、同積算消費電力量に基づいて算出される積算二酸化炭素排出量であることを特徴とする請求項１記載の空気調和機。
【請求項５】
操作用のリモートコントローラをさらに備え、
前記制御手段は、前記消費電力およびその消費電力に関わる情報を、前記表示手段において、前記リモートコントローラの操作に応じて順に切換表示することを特徴とする請求項１記載の空気調和機。
いてそれぞれ順に切換表示することを特徴とする請求項１記載の空気調和機。
【請求項６】
操作用のリモートコントローラをさらに備え、
前記制御手段は、前記消費電力およびその消費電力に関わる情報を、前記表示手段および前記リモートコントローラにおいて、同リモートコントローラの操作に応じて順に切換表示することを特徴とする請求項１記載の空気調和機。
【請求項７】
前記リモートコントローラは、前記電気料金の算出に用いる電気料金単価の設定機能、および前記積算二酸化炭素排出量の算出に用いる二酸化炭素排出係数の設定機能、を有することを特徴とする請求項５または請求項６記載の空気調和機。
【請求項８】
前記室内機の前面は、前方への突出により室内空気の吸込み流路を形成し、その吸込み流路を突出位置からの復帰により閉塞する可動パネルであることを特徴とする請求項１記載の空気調和機。
【発明の詳細な説明】
【技術分野】
【０００１】
この発明は、省エネルギーをユーザーに意識付けることについて考慮した空気調和機に関する。
【背景技術】
【０００２】
空気調和機の室内機には、運転状態をユーザに知らせるための手段として、例えば複数の発光ダイオードが前面の下方部等に設けられている（例えば特許文献１）。これら発光ダイオードにより、運転／停止／冷房／除湿／暖房などの運転モードが報知される。
【特許文献１】特開平１１−１５９８４６号公報
【発明の開示】
【発明が解決しようとする課題】
【０００３】
近年、省エネルギーの推進が叫ばれており、空調の分野でも省エネ関連の技術革新が著しい状況にある。このような状況において、省エネルギーの推進はユーザーにとっても大きな関心事であり、省エネルギーをユーザーにどのように意識付けしたらよいかが重要な課題となっている。
【０００４】
このような省エネルギーの意識付けは、上記のような発光ダイオードの単なる点灯と消灯だけでは困難である。
【０００５】
この発明は、上記事情を考慮したもので、その目的は、運転に関わる省エネルギー情報を室内機からユーザーに的確に知らせることができ、これにより省エネルギーをユーザーに強く意識させることができて、省エネルギーの推進に大きく貢献できる空気調和機を提供することである。
【課題を解決するための手段】
【０００６】
請求項１に係る発明の空気調和機は、室内機の前面に設けられた表示手段と、当該空気調和機の消費電力およびその消費電力に関わる情報を前記表示手段で表示する制御手段と、を備える。
【発明の効果】
【０００７】
この発明の空気調和機によれば、運転に関わる省エネルギー情報を室内機からユーザーに的確に知らせることができる。これにより、省エネルギーをユーザーに強く意識させることができて、省エネルギーの推進に大きく貢献できる。
【発明を実施するための最良の形態】
【０００８】
以下、この発明の一実施形態について図面を参照しながら説明する。図１に室内機の外観を示し、図２に室内機の内部を断面して示している。  
１は室内機で、前面が側面視で湾曲成され外郭を構成する前面パネル１Ａと、内部に収納される部品を配置する後本体とから構成される。前面パネル１Ａの上面には上面吸込口２が設けられ、前面パネル１Ａの前面には下部を残して前面吸込口３が設けられ、前面パネル１Ａの前面下部には吹出口４が開口される。
【０００９】
上面吸込口２にはグリル５が嵌め込まれていて、上面吸込口２は常時開放状態にある。前面パネル１Ａの前面部は、ここでは図示しない上端部のヒンジ部を介して後本体前面上端に回動自在に開閉支持される。したがって、前面パネル１Ａの下端部は後本体に対して開閉可能である。
【００１０】
上記前面パネル１Ａの前面に設けられる前面吸込口３は、パネル開閉機構Ｋを介して取付けられる可動パネル６によって開閉される。すなわち、可動パネル６は、パネル開閉機構Ｋの作動に基づく前方への突出により開いて室内空気の吸込み流路を形成し、その吸込み流路を突出位置からの復帰により閉塞する。
【００１１】
また、可動パネル６は、後述の表示ユニット２０と対応する部位に透過表示部６ａを有する。この透過表示部６ａは、表示ユニット２０と共に表示手段を構成するもので、光を通す部材で形成されており、表示ユニット２０の表示を室内機１の前方側に透過表示する。
【００１２】
室内機１の内部には、前側熱交換器部９Ａと後側熱交換器部９Ｂとを略逆Ｖ字状に屈曲してなる室内熱交換器９が配置される。前側熱交換器部９Ａは、前面パネル１Ａおよび可動パネル６と対応する位置に湾曲状に形成される。後側熱交換器部９Ｂは、上面吸込口２と対応する位置に傾斜して設けられる。
【００１３】
前側熱交換器部９Ａの前面側に、電気集塵機１０が取付けられる。この電気集塵機１０は、本来の集塵動作に加え、オゾン発生装置としても動作する。室内熱交換器９と前面吸込口３および上面吸込口２との間に亘りフィルタ１１が介在される。前面パネル１Ａを可動パネル６ごと開放すれば、フィルタ１１を室内機１に対し容易に挿脱できる。なお、図示していないが、フィルタ１１に付着した塵埃を自動的に清掃する清掃ユニットが設けられている。
【００１４】
室内熱交換器９の前後側室内熱交換器９Ａ，９Ｂの相互間で、かつ上記吹出口７と対向して室内ファン１２が配置される。この室内ファン１２は、いわゆる横流ファンで、室内熱交換器９の幅方向寸法と略同一の軸方向寸法を有している。
【００１５】
前側熱交換器部９Ａの下端部は前ドレンパン１３ａ上に載り、後側熱交換器部９Ｂの下端部は後ドレンパン１３ｂ上に載って、それぞれの熱交換器から滴下するドレン水を受け、外部に排水できる。前後ドレンパン１３ａ，１３ｂの一部側壁外面は室内ファン１２に近接した位置に設けられ、室内ファン１２に対するノーズｎを構成する。
【００１６】
ノーズｎを構成する前後ドレンパン１３ａ，１３ｂの側壁部分と、吹出口４の各辺部との間は、隔壁部材１４によって連結される。この隔壁部材１４で囲まれる空間が、ノーズｎと吹出口４とを連通する吹出通風路１５となる。
【００１７】
吹出通風路１５の終端部に開口する上記吹出口４には、上下ルーバ７Ａと左右ルーバ７Ｂが設けられる。ここでは１枚の上下ルーバ７Ａ上に、互いに作動機構を介して連結される複数枚の左右ルーバ７Ｂが支持される。上下ルーバ７Ａおよび左右ルーバ７Ｂとも、それぞれ図示しない駆動機構と駆動源を介して機械的に連結される。
【００１８】
図３に運転中の室内機を示し、図４に室内機の内部の構成を部分的に示している。  
上記可動パネル６は、上下方向に沿って湾曲した断面形状をなしている。図３では、前面パネル１Ａの左右幅方向の一側部（右側）のみにパネル開閉機構Ｋが設けられ、可動パネル６を裏面側から支持しているが、実際には前面パネル１Ａの左右幅方向の両側部にパネル開閉機構Ｋが設けられ、可動パネル６の両側部を支持している。
【００１９】
パネル開閉機構Ｋは、駆動モータに減速機構を介して連結される駆動軸と、リンク機構体とから構成される。リンク機構体は、固定アームと、駆動アームおよび従動アームと、これら駆動アームと従動アームに回動自在に連結される補助アームを備えた平行リンク機構であり、駆動アームと補助アームとの間には補助リンク機構が設けられる。
【００２０】
後述のリモートコントローラ１００の操作によって選択される運転モードに応じて、可動パネル６の開放姿勢が相違してくる。  
例えば、除湿運転モードが選択されると、パネル開閉機構Ｋが可動パネル６を前面パネル１Ａからわずかに突出させ、前面吸込口３を半開き状態とする。この状態で室内ファン１２が動作することにより、吹出口４から上面吸込口２に至る最短経路で吹出し風が循環するいわゆるショートサーキットが形成される。
【００２１】
冷房運転モードまたは暖房運転モードが選択されると、パネル開閉機構Ｋが可動パネル６を前面パネル１Ａから最大限に突出させ、前面吸込口３を全開する。このとき、可動パネル６の下端と上端は前面吸込口３の下端と上端よりも高い位置にあり、かつ可動パネル６は下端よりも上端が前方へ突出して傾く。
【００２２】
また、冷房運転モードが選択された場合、上下ルーバ７Ａはほとんど水平方向へ向くよう傾く。暖房運転モードが選択された場合は、上下ルーバ７Ａはほとんど直下方向に向けられる。冷暖房いずれの運転においても、複数枚の左右ルーバ７Ｂは互いに並行したまま回動駆動される。
【００２３】
可動パネル６の内面側で且つ一方（右側）のパネル開閉機構Ｋの内側に、液晶パネル（または有機ＥＬパネル）および発光ダイオード（ＬＥＤ）からなる表示ユニット２０が取付けられる。表示ユニット２０は、当該空気調和機の消費電力およびその消費電力に関わる種々の情報を表示するとともに、必要に応じて現在時刻、室内温度、外気温などを表示する。この表示ユニット２０の表示画面が可動パネル６の透過表示部６ａを透過して室内のユーザーに提示される。
【００２４】
図５に表示ユニット２０およびその保持機構を示す。リード線保護構造部品Ｈは、表示ユニット２０に第１の屈曲部２１を介して連結される下ケース２２と、この下ケース２２と内部空間を形成するとともにスライド自在に嵌め合わされる上ケース２３と、これら下ケース２２および上ケース２３の内部に収容されるリード線ガイドを備えている。
【００２５】
さらに、リード線保護構造部品Ｈは、上ケース２３に第２の屈曲部２５を介して連結されるガイド部材２６と、このガイド部材２６と一体に連結固定され上記前面パネル１Ａに回動自在に支持されるヒンジ部材２７とで構成される。
【００２６】
このような構成の室内機１および室外機（図示しない）に、図６に示す冷凍サイクルが搭載される。４０は圧縮機で、２つのシリンダ４１，４２を有する。冷房時、この圧縮機４０から吐出される冷媒が四方弁４３を通って上記室内熱交換器９に流れ、その室内熱交換器９を経た冷媒が電子膨張弁（パルスモータバルブ；ＰＭＶ）４４を介して室外熱交換器４５に流れる。室外熱交換器４５を経た冷媒は、四方弁４３およびアキュームレータ４７を介してシリンダ４１に吸込まれるとともに、アキュームレータ４７を経た冷媒の一部が切換弁４８およびバッファタンク４９を介してシリンダ４２に吸込まれる。なお、室外熱交換器４５の近傍に室外ファン４６が設けられている。
【００２７】
暖房時は、四方弁４３が反転作動することにより、破線矢印で示すように、圧縮機４０から吐出される冷媒が四方弁４３を通って室外熱交換器４５に流れ、その室外熱交換器４５を経た冷媒が電子膨張弁４４を介して室内熱交換器９に流れる。室内熱交換器９を経た冷媒は、四方弁４３およびアキュームレータ４７を介してシリンダ４１に吸込まれるとともに、アキュームレータ４７を経た冷媒の一部が切換弁４８およびバッファタンク４９を介してシリンダ４２に吸込まれる。
【００２８】
切換弁４８は、圧縮機４０の２シリンダ運転に際して図示のようにアキュームレータ４７とバッファタンク４９とを結ぶ冷媒流路を形成し、圧縮機４０のシリンダ４２が空転状態となる１シリンダ運転に際しては、図７に示すように、アキュームレータ４７とバッファタンク４９とを結ぶ冷媒流路を遮断しつつ、圧縮機４０の吐出冷媒の一部がシリンダ４２に戻る冷媒流路を形成する。
【００２９】
一方、室内熱交換器９の一側部は室内機１の側面板と間隙を存して配置され、この間隙に電気部品箱１６が配置される。この電気部品箱１６に、図８に示す室内基板５０、送受光基板７０、および表示基板８０が収容される。
【００３０】
室内基板５０は、商用交流電源ＡＣに接続され、その商用交流電源ＡＣの交流電圧を電源スイッチ５１を介して電源回路５２に取込むとともに、商用交流電源ＡＣの交流電圧をパワーリレー５３を介して室外機の室外基板２００に送出する。電源回路５２は、取込まれた交流電圧を降圧および整流し、それを当該室内基板５０、送受光基板７０、および表示基板８０の動作用電圧として出力する。
【００３１】
そして、室内基板５０に、室内制御部（ＭＣＵ）６０、駆動回路６１，６２，６３，６４，６５、およびシリアル回路６６が搭載される。室内制御部６０は、シリアル回路６６を介した室外基板２００とのデータ送受信により、室外基板２００上の後述する室外制御部２０３と共に、当該空気調和機の全体を制御する。駆動回路６１は、上記上下ルーバ７Ａ、左右ルーバ７Ｂ、および可動パネル６を駆動する。駆動回路６２は、上記電気集塵機１０およびフィルタ１１を駆動する。駆動回路６３は、送受光基板７０上の送受光ユニット７１を駆動する。駆動回路６４は、表示基板８０上の上記表示ユニット２０を駆動する。駆動回路６５は、上記室内ファン１２のファンモータ１２Ｍを可変速駆動するもので、ファンモータ１２Ｍの回転数Ｎｉｆを検出する回転数検出回路を内蔵している。
【００３２】
また、室内制御部６０に、センサ群６７、パネル検知器６８、およびフィルタ検知器６９が接続されている。センサ群６７は、室内温度ＴＡを検知する室内温度センサ、室内熱交換器９の温度ＴＣを検知する熱交換器温度センサ、室内熱交換器９から流出する冷媒の温度ＴＣＪを検知する冷媒温度センサ、室内湿度を検知する室内湿度センサなどを含む。パネル検知器６８は、可動パネル６の開閉を検知する。フィルタ検知器６９は、フィルタ１１の挿脱を検知する。
【００３３】
上記送受光ユニット７１は、リモートコントローラ（リモコンともいう）１００から発せられる操作用の赤外線光を受光するとともに、リモートコントローラ１００に対するデータ送信用の赤外線光を発する。
【００３４】
リモートコントローラ１００は、図９に示すように、液晶表示部１０１、温度調節釦１０２、自動釦１０３、冷房釦１０４、停止釦１０５、除湿釦１０６、暖房釦１０７、気流釦１０８、および開閉カバー１０９を有する。
【００３５】
液晶表示部１０１は、設定される運転条件や運転に関わる各種情報を表示するためのもので、とくに、各種画像のドットパターンを表示するドットパターン画面１０１ａを有する。温度調節釦１０２は、室内温度の目標値の設定用である。自動釦１０３は、冷房・暖房・除湿などの運転モードを自動的に選択して実行する自動運転モードの設定用である。冷房釦１０４は冷房運転の設定用、停止釦１０５は運転の停止用、除湿釦１０６は除湿運転の設定用、暖房釦１０７は暖房運転の設定用である。気流釦１０８は、吹出風の気流方向を設定するためのもので、操作ごとに、種々の気流パターンが図９に示すようにドットパターン画面１０１ａで切換表示される。
【００３６】
リモートコントローラ１００の開閉カバー１０９を開くと、図１０に示す操作面が現れる。この操作面には、運転停止までの時間を設定するための切タイマー釦１１１、情報案内用の“おしえて”釦１１２、上下風向・左右風向を切換えるための風向釦１１３、電気集塵機１０の運転を設定するための空気清浄釦１１４、吹出風量を設定するための風量釦１１５、上下ルーバ７Ａの揺動を設定するためのスイング釦１１６、暖房用の予熱運転を設定するための予熱釦１１７、運転停止の予約時刻を設定するためのタイマー切り釦１１８、運転開始の予約時刻を設定するためのタイマー入り釦１１９、これら予約時刻を確定するための予約釦１２０、メニュー釦１２１、および取消釦１２２が設けられている。
【００３７】
一方、図１１に示すように、室外機の室外基板２００に、電源回路２０１、室外制御部（ＭＣＵ）２０３、駆動回路２０４，２０５，２０６，２０７，２０８が搭載されている。電源回路２０１は、室内基板５０から供給される交流電圧を当該室外基板２００の動作用電圧に変換して出力する。駆動回路２０４は、上記電子膨張弁４４を駆動する。駆動回路２０５は、上記切換弁４８を駆動する。駆動回路２０６は、上記圧縮機４０の圧縮機モータ４０Ｍを可変速駆動するもので、当該駆動回路に印加される電圧Ｖｃおよび当該駆動回路に流れる電流Ｉｃを検出する検出回路を内蔵している。駆動回路２０７は、上記四方弁４３を駆動する。駆動回路２０８は、上記室外ファン４６のファンモータ４６Ｍを可変速駆動するもので、ファンモータ４６Ｍに印加される電圧Ｖｆおよびファンモータ４６Ｍに流れる電流Ｉｆを検出する検出回路を内蔵している。
【００３８】
また、室外制御部２０３に、センサ群２０９が接続されている。センサ群２０９は、圧縮機４０から吐出される冷媒の温度を検知する吐出冷媒温度センサ、圧縮機４０に吸込まれる冷媒の温度を検知する吸込冷媒温度センサ、室外熱交換器４５の温度を検知する熱交換器温度センサ、外気温を検知する外気温センサなどを含む。
【００３９】
そして、室内制御部６０および室外制御部２０３は、省エネルギーに関する主要な機能として、次の（１）（２）の手段を有する。  
（１）当該空気調和機の消費電力およびその消費電力に関わる種々の情報（例えば積算消費電力量、電気料金、積算二酸化炭素排出量など）を演算して表示ユニット２０およびリモートコントローラ１００で表示する制御手段。  
（２）圧縮機４０の２シリンダ運転と１シリンダ運転を温度条件や熱交換器温度などに応じて切換える制御手段。
【００４０】
つぎに、図１２のフローチャートを参照しながら、作用について説明する。  
運転中（ステップ３０１）、少なくとも、室内ファン１２の消費電力Ｗｉｆ、圧縮機４０の消費電力Ｗｃ、および室外ファン４６の消費電力Ｗｆがそれぞれ演算され、これら消費電力の合算が当該空気調和機の全体の消費電力Ｗ（＝Ｗｉｆ＋Ｗｃ＋Ｗｆ）として求められる（ステップ３０２）。
【００４１】
この場合、室内ファン１２の消費電力Ｗｉｆは、駆動回路６５の回転数検出回路で検出される回転数Ｎｉｆが、予め定められている回転数−消費電力の換算式（または換算テーブル）に当て嵌められることにより、算出される。圧縮機４０の消費電力Ｗｃは、駆動回路２０６の検出回路で検出される電圧Ｖｃと電流Ｉｃとの積により算出される。室外ファン４６の消費電力Ｗｆは、駆動回路２０８の検出回路で検出される電圧Ｖｆと電流Ｉｆとの積により算出される。
【００４２】
そして、求められた消費電力Ｗの積算により積算消費電力量が求められるとともに（ステップ３０３）、その積算消費電力量と予め設定されている電気料金単価とから電力会社に支払うべき電気料金が算出される（ステップ３０４）。さらに、積算消費電力量と予め設定されている二酸化炭素排出係数とから積算二酸化炭素（ＣＯ２）排出量が算出される（ステップ３０５）。
【００４３】
電気料金単価および二酸化炭素排出係数は、リモートコントローラ１００のメニュー釦１２１を操作して単価・係数入力モードを設定し、この状態で例えば温度調節釦１０２を操作することにより、ユーザーの居住地域の電力会社に適合する値を設定することができる。例えば、二酸化炭素排出係数については、図１０に示すように、温度調節釦１０２が操作されるごとにリモートコントローラ１００のドットパターン画面１０１ａで順に切換表示され、メニュー釦１２１の操作によって単価・係数入力モードが解除されたとき、そのとき表示されている二酸化炭素排出係数が確定される。
【００４４】
リモートコントローラ１００の“おしえて”釦１１２がユーザーによって押圧操作されると（ステップ３０６のＹＥＳ）、あるいは運転停止時（ステップ３０７のＹＥＳ）、上記演算によって求められた消費電力Ｗ、積算消費電力量、電気料金、積算二酸化炭素排出量のいずれか１つが、表示ユニット２０で表示される（ステップ３１０）。この表示画面が、室内機１における可動パネル６の透過表示部６ａを通して室内のユーザーに提示される。
【００４５】
そして、リモートコントローラ１００のメニュー釦１２１が操作されて表示切換モードが設定され、その状態で例えば温度調節釦１０２が操作されるごとに（ステップ３１１のＹＥＳ）、図１３に矢印で示すように、表示ユニット２０の表示内容が消費電力Ｗ（例えば６０Ｗ）から積算消費電力量（例えば１００Ｗｈ）、その積算消費電力量から電気料金（例えば１００円）、その電気料金から積算二酸化炭素排出量（例えば１．０ｋｇ）、その積算二酸化炭素排出量から上記消費電力Ｗへと、順に切換わる（ステップ３１２）。
【００４６】
この表示ユニット２０の表示と同じ内容が、リモートコントローラ１００のドットパターン画面１０１ａでも表示される。
【００４７】
このように、当該空気調和機の消費電力Ｗおよびその消費電力Ｗに関わる積算消費電力量、電気料金、積算二酸化炭素排出量を演算して求めて表示ユニット２０で表示し、この表示を可動パネル６の透過表示部６ａを介してユーザーに見せることにより、運転に関わる省エネルギー情報を室内機１からユーザーに的確に知らせることができる。したがって、省エネルギーをユーザーに強く意識させることができ、メーカー側の開発努力と合せて、省エネルギーの推進に大きく貢献できる。
【００４８】
また、図１４に示すように、清掃ユニットによるフィルタ１１の掃除中は（ステップ３０８のＹＥＳ）、“お掃除中”および“掃除の残り時間”が表示ユニット２０およびドットパターン画面１０１ａで表示される（ステップ３１３）。圧縮機４０の２シリンダ運転に際しては（ステップ３０９のＹＥＳ）、“２シリンダ運転”が表示ユニット２０およびドットパターン画面１０１ａで表示される（ステップ３１４）。圧縮機４０の１シリンダ運転に際しては（ステップ３０９のＮＯ）、“１シリンダ運転”および省エネルギー運転を表わす“ｅｃｏ”が表示ユニット２０およびドットパターン画面１０１ａで表示される（ステップ３１５）。
【００４９】
すなわち、“お掃除中”、“掃除の残り時間”、“２シリンダ運転”“１シリンダ運転”などの運転状況をユーザーに的確に知らせることができ、上記の省エネルギー情報の報知と合せて、空気調和機としての信頼性が向上する。
【００５０】
なお、この発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【００５１】
また、室内機の前面に設けられる表示装置は、本発明の実施例の壁掛タイプの室内機では、前面の化粧パネルに配置したものを示すが、天井埋め込み式や、天井吊り下げ方のような場合は、使用者からエアコンを見た場合に、正面側となる面が前面となる。これにより、使用者が室内機を見た場合、容易に表示手段の内容を確認できる。
【図面の簡単な説明】
【００５２】
【図１】この発明の一実施形態における室内機の外観斜視図。
【図２】一実施形態における室内機の内部の構成を断面して示す図。
【図３】一実施形態における室内機の可動パネルが突出した状態を示す斜視図。
【図４】一実施形態における室内機の表示ユニットおよびその周辺部の構成を示す斜視図。
【図５】一実施形態における表示ユニットの保持機構の構成を示す斜視図。
【図６】一実施形態における冷凍サイクルの構成および圧縮機の２シリンダ運転を示す図。
【図７】一実施形態における圧縮機の１シリンダ運転を示す図。
【図８】一実施形態における室内機の制御回路を示すブロック図。
【図９】一実施形態におけるリモートコントローラの外観を示す図。
【図１０】一実施形態におけるリモートコントローラの開閉カバーを開いた状態を示す図。
【図１１】一実施形態における室外機の制御回路を示すブロック図。
【図１２】一実施形態の作用を説明するためのフローチャート。
【図１３】一実施形態における表示ユニットの表示内容の切換えを示す図。
【図１４】一実施形態における表示ユニットの他の表示例を示す図。
【符号の説明】
【００５３】
１…室内機、２…上面吸込口、３…前面吸込口、４…吹出口、６…可動パネル、６ａ…透過表示部、９…室内熱交換器、１２…室内ファン、２０…表示ユニット、４０…圧縮機、４５…室外熱交換器、４６…室外ファン、４８…切換弁、６０…室内制御部、６５…駆動回路、１００…リモートコントローラ、１０１…液晶表示部、１０１ａ…ドットパターン画面、１０２…温度調節釦、１１２…“おしえて”釦、１２１…メニュー釦、２０３…室外制御部、２０６，２０８…駆動回路
【図１】
2010048493.tif 000003
【図２】
2010048493.tif 000004
【図３】
2010048493.tif 000005
【図４】
2010048493.tif 000006
【図５】
2010048493.tif 000007
【図６】
2010048493.tif 000008
【図７】
2010048493.tif 000009
【図８】
2010048493.tif 000010
【図９】
2010048493.tif 000011
【図１０】
2010048493.tif 000012
【図１１】
2010048493.tif 000013
【図１２】
2010048493.tif 000014
【図１３】
2010048493.tif 000015
【図１４】
2010048493.tif 000016